(57)【要約】【課題】本発明は、簡易な構造で、外装部材の組み付けの前の組立体からの表示ユニットの脱落を防止する電子機器を提供する。【解決手段】第１の側面に第１の凸形状部２ｅが形成されるとともに、第１の側面と反対側の第２の側面に第２の凸形状部２ｇが形成されるＬＣＤユニット２と、第１の凸形状部２ｅが差し込み可能な差し込み口３ａが形成されるカメラアセンブリ１ａと、第１の凸形状部２ｅが差し込み口３ａに差し込まれるように、ＬＣＤユニット２をカメラアセンブリ１ａに取り付けた後、カメラアセンブリ１ａに固定されるクリップ５とを備え、クリップ５は、カメラアセンブリ１ａに固定されることで、第１の凸形状部２ｅが差し込み口３ａに差し込まれる方向に、ＬＣＤユニット２を付勢するとともに、第２の凸形状部２ｇと重なるように、カメラアセンブリ１ａに固定される。【選択図】図４
2011166265.tif 000002
【特許請求の範囲】
【請求項１】
第１の側面に第１の凸形状部が形成されるとともに、前記第１の側面と反対側の第２の側面に第２の凸形状部が形成される表示ユニットと、
前記第１の凸形状部が差し込み可能な差し込み口が形成される組立体と、
前記第１の凸形状部が前記差し込み口に差し込まれるように、前記表示ユニットを前記組立体に取り付けた後、前記組立体に固定される係止部材とを備え、
前記係止部材は、前記組立体に固定されることで、前記第１の凸形状部が前記差し込み口に差し込まれる方向に、前記表示ユニットを付勢するとともに、前記第２の凸形状部と重なるように、前記組立体に固定されることを特徴とする電子機器。
【請求項２】
前記係止部材には、バネ性を有する腕部が形成され、前記係止部材が前記組立体に固定された際に、前記腕部のバネ性によって、前記第１の凸形状部が前記差し込み口に差し込まれる方向に、前記表示ユニットを付勢するとともに、前記腕部が前記第２の凸形状部と重なるように、前記係止部材が前記組立体に固定されることを特徴とする請求項１記載の電子機器。
【請求項３】
前記係止部材は、導電性を有し、前記係止部材が前記組立体に固定された際に、前記係止部材が前記表示ユニットに接触することで、前記表示ユニットと前記組立体との電位を同電位とすることを特徴とする請求項１または２に記載の電子機器。
【請求項４】
前記表示ユニットを取り付けた前記組立体を覆うように組み付けられる外装部材をさらに備え、
前記表示ユニットは、前記外装部材が前記組立体に組み付けられることにより位置決めされることを特徴とする請求項１乃至３のいずれか１項に記載の電子機器。
【発明の詳細な説明】
【技術分野】
【０００１】
本発明は、電子機器に関し、特に、電子機器における表示ユニットの取り付け構造に関する。
【背景技術】
【０００２】
従来、ＬＣＤ等の表示ユニットを備える電子機器には、樹脂又は金属製の外装部材の組み付け前に表示ユニットが組立体に仮保持されることで移動の自由度を持ち、外装部材の組み付け後に表示ユニットの位置が決まるフローティング構造を有するものがある。このようなフローティング構造では、表示ユニットが仮保持された状態で電子機器を立てた姿勢すると、若干の衝撃で表示ユニットが浮いて脱落してしまうことがある。また、このような状態で調整工具を使用して表示ユニットの位置調整を行う場合、表示ユニットの浮きや脱落をおそれて作業性が低下する。そこで、表示ユニットの外周部全体にリング状のゴムブッシュを装着し、本体枠部へ圧入により嵌め込み、且つ弾性を利用して表示部のフローティング支持を行う技術が提案されている（例えば、特許文献１参照）。
【先行技術文献】
【特許文献】
【０００３】
【特許文献１】特開２００２−３６５６１３号公報
【発明の概要】
【発明が解決しようとする課題】
【０００４】
しかしながら、特許文献１記載の技術では、外装部材を組み付ける前の、表示ユニットが本体枠部へリングブッシュでの圧入のみで保持された状態では、表示ユニットに衝撃が加わったときに脱落し易い。脱落を防ごうとすれば、圧入量を増す必要が生じ、結果的に、表示ユニットにストレスが加わってモアレ等の表示不良の原因となってしまう。また、圧入量の増大は、圧入が不完全な状態、即ち表示部の浮きや傾きを招き、外装部材の組み付け後に外装部材と表示ユニットとの厚み方向の隙間が増大したり、不均一となって、外観品位が低下するおそれがある。
【０００５】
また、上記フローティング構造では、表示ユニットのグランドを確保するために、表示ユニットの移動に追従可能で、且つ表示ユニットとグランドとの電気的な接続が確実に行える構造が必要となる。
【０００６】
本発明は、上記問題に鑑みて成されたものであり、簡易な構造で、外装部材の組み付けの前の組立体からの表示ユニットの脱落を防止する電子機器を提供することを目的とする。
【課題を解決するための手段】
【０００７】
上記目的を達成するために、本発明の電子機器は、第１の側面に第１の凸形状部が形成されるとともに、前記第１の側面と反対側の第２の側面に第２の凸形状部が形成される表示ユニットと、前記第１の凸形状部が差し込み可能な差し込み口が形成される組立体と、前記第１の凸形状部が前記差し込み口に差し込まれるように、前記表示ユニットを前記組立体に取り付けた後、前記組立体に固定される係止部材とを備え、前記係止部材は、前記組立体に固定されることで、前記第１の凸形状部が前記差し込み口に差し込まれる方向に、前記表示ユニットを付勢するとともに、前記第２の凸形状部と重なるように、前記組立体に固定されることを特徴とする。
【発明の効果】
【０００８】
本発明によれば、簡易な構造で、外装部材組み付けの前の本体からの表示器の脱落を防止することができる。また、表示器とグランドとの電気的接続を確保することが可能となる。
【図面の簡単な説明】
【０００９】
【図１】本発明の実施形態に係る電子機器の一例である撮像装置の外観を示す斜視図である。
【図２】図１の撮像装置１から表示器２の周囲を分解した分解斜視図である。
【図３】リアカバー６の取り付け前の撮像装置本体１ａの状態を示す部分構成図である。
【図４】（ａ）は図３のＡ−Ａ’間の部分断面図、（ｂ）は図３に示すＢ部の拡大図である。
【図５】（ａ）は係止部材５の斜視図、（ｂ）は係止部材５をＣから見た図である。
【図６】リアカバー６の取り付け後の凸形状部２ｅ周囲の部分断面図である。
【発明を実施するための形態】
【００１０】
以下、本発明の実施の形態を図面を参照して詳細に説明する。
【００１１】
図１は、本発明の実施形態に係る電子機器の一例であるデジタルカメラの外観を示す斜視図である。
【００１２】
図１において、デジタルカメラ１は、表示ユニットとしてのＬＣＤユニット２、外装部材としてのリアカバー６等を備える。
【００１３】
図２は、図１のデジタルカメラ１からＬＣＤユニット２の周囲を分解した分解斜視図である。
【００１４】
図２において、表示窓２ａと一体に構成されたＬＣＤユニット２は、組立体としてのカメラアセンブリ１ａのメインフレーム３とＬＣＤフレーム４によって囲まれる領域に取り付けられる。ＬＣＤフレーム４は、突起４ａによりメインフレーム３に設けられた穴３ｂと嵌合し、ビス（不図示）にて固定される。このように、ＬＣＤフレーム４がメインフレーム３に固定されることで、ＬＣＤフレーム４とカメラアセンブリ１ａとが電気的に接続され、同電位（グランド電位）となる。なお、ＬＣＤユニット２は、フレキシブル配線基板２ｆによりメイン基板（不図示）との間で電気的接続がなされる。
【００１５】
バックライト部を保持するためのバックライトフレーム２ｄには、デジタルカメラ１からリアカバー６を取り外した状態のカメラアセンブリ１ａ側にＬＣＤユニット２を係止するための第１の凸形状部２ｅおよび第２の凸形状部２ｇが設けられている。第１の凸形状部２ｅは、ＬＣＤユニット２の第１の側面となる長辺側の側面から図２の上方向に向かって突出している。第２の凸形状部２ｇは、ＬＣＤユニット２の第１の側面とは反対側の第２の側面となる長辺側の側面から図２の下方向に向かって突出している。バックライトフレーム２ｄは、金属などの導電性を有する材料で形成される。
【００１６】
係止部材としてのクリップ５は、金属などの導電性を有する材料で形成される。また、クリップ５には、バネ性を有する腕部５ａが形成される。クリップ５の形状を図５（ａ）、図５（ｂ）に示す。ＬＣＤユニット２をメインフレーム３とＬＣＤフレーム４によって囲まれる領域に取り付けた後、図３に示すように、クリップ５をＬＣＤフレーム４に組み付けることで、クリップ５の腕部５ａはＬＣＤユニット２を図３の上方向に付勢する。これによって、ＬＣＤユニット２の第１の凸形状部２ｅがメインフレーム３の差し込み口３ａに差し込まれた状態を維持できる。さらに、図３に示すように、クリップ５をＬＣＤフレーム４に組みつけることで、クリップ５の腕部５ａが第２の凸形状部２ｇと重なる。これによって、クリップ５の腕部５ａは第２の凸形状部２ｇを押さえ込むように作用する。したがって、ＬＣＤユニット２はカメラアセンブリ１ａに保持された状態となる。
【００１７】
デジタルカメラ１の背面外観部となるリアカバー６には、その開口部６ａの近傍に、弾性を有するクッション部材７が固定される。リアカバー６がカメラアセンブリ１ａに組み付けられた後、ＬＣＤユニット２の厚み方向の位置がクッション部材７の弾性力で決まる（図６参照）。一方、ＬＣＤユニット２の画面方向の位置決めは、リアカバー６の開口部６ａが表示窓２ａの側面に当接することによって行われる。このように、ＬＣＤユニット２は、上述した部品の取り付け方や部品寸法のばらつき等により、カメラアセンブリ１ａに対して隙間（遊び）が生じて、相対的な位置の自由度を持つフローティング構造となっている。
【００１８】
図３は、リアカバー６の取り付け前のカメラアセンブリ１ａの状態を示す部分構成図である。図４（ａ）は図３のＡ−Ａ’間の部分断面図、図４（ｂ）は図３に示すＢ部の拡大図である。
【００１９】
図４（ａ）において、ＬＣＤユニット２は、表示窓２ａの裏側に透明樹脂２ｈを介して固定されたＬＣＤパネル２ｂと、ＬＣＤパネル２ｂへ投光する光源となるバックライト部２ｃとを備える。ＬＣＤパネル２ｂおよびバックライト部２ｃは、バックライトフレーム２ｄに固定されている。
【００２０】
メインフレーム３には、バックライトフレーム２ｄの第１の凸形状部２ｅを差し込むための差し込み口３ａが形成される。ＬＣＤユニット２をカメラアセンブリ１ａに組み付ける際には、まず、第１の凸形状部２ｅを差し込み口３ａに差し込む。その後、第１の凸形状部２ｅが形成されるＬＣＤユニット２の長辺を回動中心として、ＬＣＤユニット２を回動させることで、メインフレーム３とＬＣＤフレーム４によって囲まれる領域に組み付ける。
【００２１】
上述したように、ＬＣＤユニット２をカメラアセンブリ１ａに組み付けた後、図４（ｂ）に示すように、クリップ５をＬＣＤフレーム４に取り付ける。このようにクリップ５をＬＣＤフレーム４に取り付けることで、クリップ５の腕部５ａがＬＣＤユニット２の第２の凸形状部２ｇと重なる。これによって、腕部５ａが第２の凸形状部２ｇを押さえ込むことになり、この部分でＬＣＤユニット２が紙面鉛直方向に浮き上がることはない。また、クリップ５の腕部５ａは、ＬＣＤユニット２の側面にＬＣＤユニット２を押し上げる方向の付勢力を与えるので、第１の凸形状部２ｅが差し込み口３ａに差し込まれた状態を維持することができる。したがって、ＬＣＤユニット２の上側では、第１の凸形状部２ｅが差し込み口３ａに差し込まれた状態となり、ＬＣＤユニット２の下側では、第２の凸形状部２ｇが腕部５ａに押さえ込まれる状態となる。これによって、ＬＣＤユニット２はカメラアセンブリ１ａに仮保持され、リアカバー６の組み付け前にカメラアセンブリ１ａを立てた状態にしてもＬＣＤユニット２の厚み方向への浮きや脱落を防止することができる。
【００２２】
クリップ５は、導電性を有するため、グランド電位が確保されているＬＣＤフレーム４やメインフレーム３に電気的接続が可能となる。そして、クリップ５の腕部５ａがバックライトフレーム２ｄを付勢しているので、腕部５ａとバックライトフレーム２ｄとは安定した接触圧で接触する状態となる。したがって、クリップ５とＬＣＤユニット２との間も電気的に接続され、ＬＣＤユニット２もグランド電位を確保することができる。その結果、リアカバー６と表示窓２ａとの隙間から静電気が侵入したとしても、ＬＣＤユニット２の静電破壊や表示不具合を防止することができる。
【００２３】
上述したＬＣＤユニットの浮き・脱落と静電破壊等の問題については、クリップ５を用いずにＬＣＤフレーム４に板バネ形状の腕部を具備すれば、上記と同様の効果が得られる。しかしながら、ＬＣＤフレーム４は、リアカバー６が受ける外力からＬＣＤユニット２を保護する充分な板厚を必要とする。板厚が大きくなるほどバネ定数は高くなるので、バックライトフレーム２ｄへの付勢力が大きくなってしまう。ＬＣＤユニット２の側面に加わる力が大きくなってしまうと、ＬＣＤユニット２にモアレ等の表示の不具合が発生するおそれがある。この問題に対応するために、この付勢力を低減するために腕部を長くすることが考えられる。しかし、ＬＣＤフレーム４に長い腕部を形成すれば、ＬＣＤフレームの強度が低下してしまい、ＬＣＤフレーム本来の目的であるリアカバー６が受ける外力からＬＣＤユニット２を保護するという機能を果たせなってしまう。
【００２４】
このように、本実施形態では、クリップ５を、カメラアセンブリ１ａに固定する際に、差し込み口３ａに差し込まれた第１の凸形状部２ｅが形成される第１の辺と反対側の第２の辺に形成される第２の凸形状部２ｇと腕部５ａが重なる構造とした。これにより、簡易な構造で、リアカバー６を組み付けの前のカメラアセンブリ１ａからのＬＣＤユニット２の脱落を防止することができると共に、ＬＣＤユニット２とカメラアセンブリ１ａとの電気的接続を確保することが可能となる。
【００２５】
本実施形態では、図５（ａ）、図５（ｂ）に示す形状のクリップ５を例にして説明したが、カメラアセンブリ１ａとＬＣＤユニット２との電気的接続が可能で、第２の凸形状部２ｇを覆うことが可能な構造のものであれば、これに限定されるものではない。
【００２６】
また、本実施形態では、デジタルカメラについて説明したが、これに限定されず、本発明を携帯端末や携帯電話等の他の電子機器に適用した場合であっても、上述した効果が得られることは云うまでもない。このように、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００２７】
１  デジタルカメラ
２  ＬＣＤユニット
２ａ  表示窓
２ｅ  第１の凸形状部
２ｇ  第２の凸形状部
３  メインフレーム
４  ＬＣＤフレーム
５  クリップ
５ａ  腕部
６  リアカバー
６ａ  開口部
【図１】
2011166265.tif 000003
【図２】
2011166265.tif 000004
【図３】
2011166265.tif 000005
【図４】
2011166265.tif 000006
【図５】
2011166265.tif 000007
【図６】
2011166265.tif 000008